(57)【要約】【課題】内部にごみが溜まった水切りごみ袋を、水切りごみ袋に触れることなく捨てることができるように保持する袋保持枠および該袋保持枠を使用した水切り袋取り付け構造を提供する。【解決手段】シンクの底面に設けられる排水口に収納される水切かご４と、排水口の上端に設けられる袋保持枠５と、袋保持枠５外周に開口部が保持される水切りごみ袋６とからなり、袋保持枠５外周には引っ掛け部である溝部２７が形成されており、前記水切りごみ袋６は開口部に設けられた弾性糸３１が溝部２７に係止されて袋保持枠５外周に保持され、弾性糸３１が弾性変形することによって開口部が溝部２７から離脱可能に構成される。【選択図】図１
2013001562.tif 000002
【特許請求の範囲】
【請求項１】
外周に水切りごみ袋の開口部に設けられた弾性糸が係止される引っ掛け部が形成されており、弾性糸が弾性変形することによって開口部が引っ掛け部から離脱可能に構成されたことを特徴とする袋保持枠。
【請求項２】
引っ掛け部は袋保持枠の全周に形成された溝状部であることを特徴とする請求項１に記載の袋保持枠。
【請求項３】
引っ掛け部は袋保持枠の周方向の一部が分断された溝状部であることを特徴とする請求項１に記載の袋保持枠。
【請求項４】
引っ掛け部は袋保持枠の周方向適当間隔おきに形成された溝状部であることを特徴とする請求項１に記載の袋保持枠。
【請求項５】
引っ掛け部は袋保持枠の全周に形成された突状部であることを特徴とする請求項１に記載の袋保持枠。
【請求項６】
引っ掛け部は袋保持枠の周方向の一部が分断された突状部であることを特徴とする請求項１に記載の袋保持枠。
【請求項７】
引っ掛け部は袋保持枠の周方向適当間隔おきに形成された突状部であることを特徴とする請求項１に記載の袋保持枠。
【請求項８】
袋保持枠外周に近い裏面に鉤状のフックを設け、このフックを設けた位置に対向した位置において溝状部または突状部などの引っ掛け部が形成されていないことを特徴とする請求項１に記載の袋保持枠。
【請求項９】
請求項１〜８のいずれか１つに記載の水切りごみ袋保持用袋保持枠を使用する水切りごみ袋取り付け構造であって、シンクの底面に水切りかごが収納される排水口が設けられ、この排水口の上端に前記袋保持枠がセットされるように構成されていることを特徴とする水切りごみ袋取り付け構造。
【発明の詳細な説明】
【技術分野】
【０００１】
本発明は、流し台の排水口に取り付けて、排水口に流れ込むゴミを収納する水切りごみ袋を保持する袋保持枠および水切りごみ袋取り付け構造に関する。
【背景技術】
【０００２】
特許文献１に記載される流し台のごみ収納袋では、排水口に水切かごが設置されており、水切かごの内部には水切りごみ袋が設けられる。水切りごみ袋の開口部は保持部材に挟まれた状態で水切かごの開口部に保持される。水切りごみ袋に溜まったごみを捨てる場合には、水切りごみ袋が水切かごの開口部から取り外される。水切りごみ袋に溜まったごみは、水切りごみ袋とともに捨てられる。
【０００３】
特許文献２に記載される流し台のごみ収納袋は、ごみが収納される袋部と、袋部の上部に設置され菊割りの開口が形成された蓋部とを備えている。袋部に溜まったごみを捨てる場合には、蓋部の取手を摘んでごみ収納袋が排水口から取り外される。袋部に溜まったごみは、ごみ収納袋とともに捨てられる。
【先行技術文献】
【特許文献】
【０００４】
【特許文献１】特開平５−５１９５４号公報
【特許文献２】特開２００８−１１０８７３号公報
【発明の概要】
【発明が解決しようとする課題】
【０００５】
特許文献１に記載の水切り用袋では、水切りごみ袋に溜まったごみを捨てるときに、保持部材を取り外した水切りごみ袋を掴んで取り出さなければならないので手が汚れる。
特許文献２に記載のごみ収納袋では、袋部とともに蓋部も捨てられる。蓋部を繰り返し使うことができればごみ収納に係るコストを削減することができる。
本発明の目的は、内部にごみが溜まった水切りごみ袋を、水切りごみ袋に触れることなく捨てることができるように保持する袋保持枠および該袋保持枠を使用した水切り袋取り付け構造を提供することである。
【課題を解決するための手段】
【０００６】
請求項１に記載の発明は、外周に水切りごみ袋の開口部に設けられた弾性糸が係止される引っ掛け部が形成されており、弾性糸が弾性変形することによって開口部が引っ掛け部から離脱可能に構成されるものである。
【０００７】
請求項２に記載の発明では、引っ掛け部は袋保持枠の全周に形成された溝状部である。請求項３に記載の発明では、引っ掛け部は袋保持枠の周方向の一部が分断された溝状部である。請求項４に記載の発明では、引っ掛け部は袋保持枠の周方向適当間隔おきに形成された溝状部である。請求項５に記載の発明では、引っ掛け部は袋保持枠の全周に形成された突状部である。請求項６に記載の発明では、引っ掛け部は袋保持枠の周方向の一部が分断された突状部である。請求項７に記載の発明では、引っ掛け部は袋保持枠の周方向適当間隔おきに形成された突状部である。請求項８に記載の発明では、袋保持枠外周に近い裏面に鉤状のフックを設け、このフックを設けた位置に対向した位置において溝状部または突状部などの引っ掛け部が形成されていないものである。請求項９に記載の発明では、水切りごみ袋保持用袋保持枠を使用する水切りごみ袋取り付け構造であって、シンクの底面に水切りかごが収納される排水口が設けられ、この排水口の上端に前記袋保持枠がセットされるように構成されている。
【発明の効果】
【０００８】
水切りごみ袋は、開口部に設けられた弾性糸が引っ掛け部に係止された状態でごみ箱まで運ばれ、袋保持枠を揺することによって引っ掛け部に係止された弾性糸が外れ、水切りごみ袋に溜まったごみが水切りごみ袋とともにごみ箱に落下するので、排水口の袋保持枠に取り付けられ内部にごみが溜まった水切りごみ袋を水切りごみ袋に触れることなく捨てることができる。
【図面の簡単な説明】
【０００９】
【図１】本発明の第１の実施形態に係る水切り袋取り付け構造の断面図である。
【図２】袋保持枠を上方から見た斜視図である。
【図３】袋保持枠を下方から見た斜視図である。
【図４】袋保持枠の断面図である。
【図５】水切りごみ袋の斜視図である。
【図６】水切りごみ袋が保持された袋保持枠を排水口から持ち上げた状態の斜視図である。
【図７】本発明の第２の実施形態に係る袋保持枠を上方から見た斜視図である。
【図８】袋保持枠を下方から見た斜視図である。
【図９】水切りごみ袋が袋保持枠から離脱する状態を示す斜視図である。
【図１０】本発明の第３の実施形態に係る水切りごみ袋がフックに引っ掛けられた状態の斜視図である。
【図１１】本発明の第４の実施形態に係る水切りごみ袋が袋保持枠に保持された状態の斜視図である。
【図１２】フックに水切りごみ袋が引っ掛けられた状態の斜視図である。
【図１３】突状部が形成された袋保持枠を下方から見た斜視図である。
【図１４】突状部の一部が分断された袋保持枠を下方から見た斜視図である。
【図１５】突状部の一部が分断され、さらにフックが設けられた袋保持枠を下方から見た斜視図である。
【発明を実施するための形態】
【００１０】
以下、本発明の第１の実施の形態について図１〜図６に基づいて説明する。図１は本発明の第１の実施形態に係る水切り袋取り付け構造１の断面図である。図２は袋保持枠５を上方から見た斜視図である。図３は袋保持枠５を下方から見た斜視図である。図４は袋保持枠５の断面図である。図５は水切りごみ袋６の斜視図である。図６は水切りごみ袋６が保持された袋保持枠５を排水口から持ち上げた状態の斜視図である。
【００１１】
水切り袋取り付け構造１は、シンク２の排水口に取り付けられるストレーナ３と、ストレーナ３の内部に設置される水切かご４と、水切かご４の上部であってストレーナ３の開口部に設置される袋保持枠５と、袋保持枠５の下部に保持される水切りごみ袋６とを備える。
【００１２】
ストレーナ３は筒状に形成され、上端開口部の外周にフランジ部７が設けられる。シンク２の底部には貫通孔８が形成されており、ストレーナ３は、フランジ部７が貫通孔８周縁部に当接した状態で貫通孔８に嵌め込まれる。貫通孔８に嵌め込まれたストレーナ３は、シンク２の裏面側から締め付けナット９が螺合されてシンク２の底部に固定される。ストレーナ３の内周には、下方に向かって縮径されるように２つの段付き部１２，１３が形成される。
【００１３】
水切かご４は上部に開口部を備えた円筒形のかごである。水切かご４の外周面には金網が形成されており、水切かご４の開口部から内部に流れ込んだ排水は外周面の金網から流れ出る。開口部の外周にはフランジ部１４が形成されており、水切かご４は、フランジ部１４が段付き部１３に当接した状態でストレーナ３の内部に設置される。
【００１４】
袋保持枠５はたとえば弾性を有する樹脂で形成され、環状の外縁部２１と外縁部２１の内側に形成される菊割りの開口部２２とを備える。外縁部２１の外周端は下方に折れ曲がり所定の長さの外周壁２３が形成されている。外周壁２３の高さは、外周壁２３の下端をストレーナ３の段付き部１２に当接させて袋保持枠５をストレーナ３に装着したとき、袋保持枠５の外縁部２１とストレーナ３のフランジ部７とが略同じ高さとなるように調整される。外縁部２１の内周端は下方に折れ曲がり、所定の長さの内周壁２５が形成されている。菊割りの開口部２２は、内周壁２５の下端から内側に連設されている。本実施形態において、袋保持枠５の開口部２２には菊割りが形成されているが、これに限定されるものではなく開口部２２が菊割りを備えていないものでも良い。
【００１５】
内周壁２５の外面下部には全周に亘って突出した環状の凸部２６が形成されており、凸部２６には環状の溝部２７が形成される。本実施の形態において溝部２７は断面が矩形とされるが、これに限定されるものではない。外縁部２１上面２８の対向する位置には各々取っ手２９と取っ手３０とが形成されており、使用者は取っ手２９と３０とを摘んでストレーナ３に装着された袋保持枠５を排水口から持ち上げることができる。
【００１６】
水切りごみ袋６は全面に網目が形成されたナイロン製の袋であり、開口部に沿って環状の弾性糸３１が設けられている。水切りごみ袋６は、弾性糸３１が溝部２７に係止された状態で袋保持枠５に保持される。水切りごみ袋６が保持された袋保持枠５は、外周壁２３の下端が段付き部１２に当接した状態でストレーナ３に装着される。排水口に流れ込むごみは、菊割りの開口部２２を通って水切りごみ袋６に溜まる。
【００１７】
図６は、水切りごみ袋６が保持された袋保持枠５を排水口から持ち上げた状態の斜視図である。水切りごみ袋６に溜まったごみを捨てる手順について説明する。使用者が、袋保持枠５の取っ手２９と３０とを摘んで、水切りごみ袋６が保持された袋保持枠５を排水口から持ち上げると、水切かご４に受けられている水切りごみ袋６は、袋保持枠５に吊り下げられた状態で排水口から取り出される。水切りごみ袋６が吊り下げられた袋保持枠５を不図示のごみ箱まで持ち運び、ごみ箱の上部で袋保持枠５を揺すると、溝部２７の下側壁部３２が環状の弾性糸３１に押されて下側に折れ曲がる。弾性糸３１は、下側に折れ曲がる下側壁部３２に沿って拡径しながら下方に移動して、下側壁部３２から離脱する。弾性糸３１が溝部２７から離脱すると水切りごみ袋６はごみ箱に落下して、水切りごみ袋６に溜まったごみは水切りごみ袋６とともにごみ箱に捨てられる。
【００１８】
溝部２７と下側壁部３２とは、袋保持枠５を揺すったとき、溝部２７の下側壁部３２が弾性糸３１に押されて下側に折れ曲がり、弾性糸３１が下側壁部３２に沿って拡径して下側壁部３２から離脱することができる形状とされる。
【００１９】
本発明の第２の実施の形態について図７〜図９に基づいて説明する。図７は、本発明の第２の実施形態に係る袋保持枠４１を上方から見た斜視図である。図８は、袋保持枠４１を下方から見た斜視図である。図９は、水切りごみ袋６が袋保持枠４１から離脱する状態を示す斜視図である。第１の実施の形態の説明と重複する部分については説明を省略し、同一の参照符を用いる。
【００２０】
袋保持枠４１に形成される溝部４３は、取っ手２９が設けられている部分の内周壁４２の外面４４には形成されず、外面４４を除いた部分に形成される。溝部４３は、袋保持枠４１の周方向の一部が分断された状態で形成される。なお、外面４４は内周壁４２外周に対して４０％前後の範囲を占めており、溝部４３が形成される凸部４５の端面４６は傾斜面とされる。
使用者は、取っ手２９と３０とを摘んで、水切りごみ袋６が吊り下げられた袋保持枠４１をごみ箱まで運ぶ。外面４４と対向する位置にある取っ手３０から手を離すと、袋保持枠４１は斜めに傾き、内周壁４２のうち溝部４３が形成されていない外面４４が上方に位置するようになる。外面４４に位置し溝部４３に係止されていない弾性糸３１が、外面４４から袋保持枠４１の開口部裏面側に移動する。図９に示すように溝部４３に係止されている弾性糸３１は、端面４６側から徐々に溝部４３から外れて行く。弾性糸３１が溝部４３から外れた水切りごみ袋６はごみ箱に落下して、水切りごみ袋６に溜まったごみは水切りごみ袋６とともにごみ箱に捨てられる。本実施の形態においては、袋保持枠４１を斜めに傾けるので溝部４３に係止された弾性糸３１を容易に外すことができる。
【００２１】
本発明の第３の実施の形態について図１０に基づいて説明する。図１０は、本発明の第３の実施形態に係る水切りごみ袋６がフック５１に引っ掛けられた状態の斜視図である。第２の実施の形態の説明と重複する部分については説明を省略し、同一の参照符を用いる。本実施形態においては、内周壁４２の外面４４と対向する位置にある開口部裏面の周縁部には樹脂製のフック５１が設けられる。フック５１の鉤部５２は袋保持枠４１の内側に向いている。取っ手は２９が１つだけ設けられる。
【００２２】
使用者が取っ手２９を摘んで水切りごみ袋６が吊り下げられた袋保持枠４１を排水口から持ち上げると、袋保持枠４１は、溝部４３が形成されていない内周壁４２の外面４４が上方に位置した状態で斜めに傾く。弾性糸３１のうち外面４４に位置し溝部４３に係止していない部分が内周壁４２から外れて袋保持枠４１の開口部裏面側に移動する。溝部４３に係止されている弾性糸３１は、端面４６側から徐々に外れて行く。弾性糸３１が溝部４３から外れた水切りごみ袋６の側面が鉤部５２に引っ掛けられる。使用者は、水切りごみ袋６の側面が引っ掛けられた袋保持枠４１をごみ箱まで運び、取っ手２９を摘んだ状態で、傾いた袋保持枠４１を起こしながらフック５１に引っ掛けられた水切りごみ袋６を外してごみ箱に落下させる。
【００２３】
本発明の第４の実施の形態について図１１および図１２に基づいて説明する。図１１は、本発明の第４の実施形態に係る水切りごみ袋５６が保持された袋保持枠４１の斜視図である。図１２は、フック５１に水切りごみ袋５６が引っ掛けられた状態の斜視図である。第３の実施の形態の説明と重複する部分については説明を省略し、同一の参照符を用いる。
【００２４】
水切りごみ袋５６の側面であって開口部周縁には、開口部を囲むように環状の弾性糸５７が設けられる。弾性糸５７は、弾性糸５７の一部分である係合部５８を除いて水切りごみ袋５６の側面に縫い付けられている。係合部５８は、水切りごみ袋５６の側面に縫い付けられることなく、水切りごみ袋５６の側面から内側に突出している。水切りごみ袋５６は、フック５１の鉤部５２が水切りごみ袋５６の側面と係合部５８との間に差し込まれた状態で、開口部の弾性糸３１が溝部４３に係止されて、袋保持枠４１に保持される。取っ手は２９が１つだけ設けられる。
【００２５】
使用者が、取っ手２９を摘んで水切りごみ袋５６が吊り下げられた袋保持枠４１を排水口から持ち上げて袋保持枠４１を斜めに傾けると、弾性糸３１が袋保持枠４１から外れる。水切りごみ袋５６は袋保持枠４１から落下し、図１２に示すように弾性糸５７の係合部５８がフック５１の鉤部５２に引っ掛けられて、弾性糸５７によって開口部が絞めこまれる。使用者は、取っ手２９を摘んだ状態で袋保持枠４１を起こしながら弾性糸５７の係合部５８をフック５１から外して、水切りごみ袋５６をごみ箱に落下させる。
【００２６】
第１の実施の形態〜第４の実施の形態では、水切りごみ袋６，５６の弾性糸３１が係止される溝部２７，４３は、袋保持枠５，４１の内周壁２５，４２に一体的に形成されているが、これに限定されるものではない。溝部は、内周壁２５，４２の外面に適当間隔をおいて複数個所に分けて形成された溝部片であってもよい。水切りごみ袋６，５６が保持された袋保持枠５，４１を揺すったとき、溝部片の下側壁部は弾性糸３１に押されて容易に下側に折れ曲がるので、弾性糸３１を溝部からいっそう容易に外すことができる。
【００２７】
図１３は内周壁６５の外面に環状の突状部６８が形成された袋保持枠６１の斜視図である。図１４は一部が分断された突状部７８を備えた袋保持枠７１を下方から見た斜視図である。図１５は一部が分断された突状部７８を備え、さらにフック５１が設けられた袋保持枠８１を下方から見た斜視図である。水切りごみ袋６，５６の弾性糸３１が係止される引っ掛け部は溝部２７，４３に限定されるものではない。たとえば袋保持枠６１，７１，８１の内周壁６５，７５外面に凸状の突状部６８，７８が形成され、水切りごみ袋６，５６の弾性糸３１がこの突状部６８，７８に係止されるものでもよい。この場合には突状部６８，７８を覆うようにして容易に弾性糸３１を突状部６８，７８に係止させることができる。
【００２８】
突状部６８，７８は、内周壁６５，７５に一体的に連続した形状とされているが、これに限定されるものではない。突状部は、適当間隔をおいて複数個所に分けて形成されるものでもよい。この場合には、突状部が弾性糸３１に押されて容易に下側に折れ曲がるので、弾性糸３１を突状部からいっそう容易に外すことができる。
【００２９】
このように、袋保持枠５は、外周に水切りごみ袋６の開口部に設けられた弾性糸３１が係止される引っ掛け部が形成されており、弾性糸３１が弾性変形することによって開口部が溝部２７から離脱可能に構成されるので、水切りごみ袋６は、開口部に設けられた弾性糸３１が引っ掛け部に係止された状態でごみ箱まで運ばれ、袋保持枠５を揺することによって引っ掛け部に係止された弾性糸３１が外れ、水切りごみ袋６に溜まったごみが水切りごみ袋６とともにごみ箱に落下し、排水口の袋保持枠５に取り付けられ内部にごみが溜まった水切りごみ袋６を水切りごみ袋６に触れることなく捨てることができる。
【００３０】
さらに、引っ掛け部は袋保持枠５の全周に形成された溝部２７とされるので、弾性糸３１が溝部２７に容易に係止される。
さらに引っ掛け部は袋保持枠４１の周方向の一部が分断された溝部４３であるので、使用者は袋保持枠４１を斜めに傾けて溝部４３に係止された弾性糸３１を容易に外すことができる。
【００３１】
さらに、引っ掛け部が袋保持枠５，４１の周方向適当間隔おきに形成された溝部であるので、弾性糸３１を溝部からいっそう容易に外すことができる。
さらに、引っ掛け部が袋保持枠６１の全周に形成された突状部６８であるので、弾性糸３１を突状部６８に容易に係止することができる。
【００３２】
さらに、引っ掛け部は袋保持枠７１の周方向の一部が分断された突状部７８であるので、使用者は袋保持枠７１を斜めに傾けて突状部７８に係止された弾性糸３１を容易に外すことができる。
【００３３】
さらに、引っ掛け部は袋保持枠の周方向適当間隔おきに形成された突状部であるので、弾性糸３１は溝部からいっそう容易に外れる。
さらに、袋保持枠４１外周に近い裏面に鉤状のフック５１を設け、このフック５１を設けた位置に対向した位置において溝部４３または突状部６８などの引っ掛け部が形成されていないので、弾性糸３１は溝部４３または突状部６８からいっそう容易に外れる。
【００３４】
さらに、水切りごみ袋取り付け構造１は、シンク２の底面に水切りかご４が収納される排水口が設けられ、この排水口の上端に袋保持枠５がセットされるように構成されているので、水切りごみ袋６の開口部に設けられた弾性糸３１が袋保持枠５の溝部２７に係止された状態で水切りごみ袋６をごみ箱まで運び、袋保持枠５を揺することによって溝部２７に係止された弾性糸３１を外し、水切りごみ袋６に溜まったごみを水切りごみ袋６とともにごみ箱に落下させて水切りごみ袋６に触れることなく捨てることができる。
【符号の説明】
【００３５】
１    水切り袋取り付け構造
２    シンク
３    ストレーナ
４    水切かご
５，４１，６１，７１，８１    袋保持枠
６，５６    水切りごみ袋
７    フランジ部
８    貫通孔
９    締め付けナット
１２，１３    段付き部    
１４    フランジ部
２１    外縁部
２２    開口部
２３    外周壁
２８    上面
２５，４２，６５，７５    内周壁
２６，４５    凸部
２７，４３    溝部
２９，３０    取っ手
３１，５７    弾性糸
３２    下側壁部
４４    外面
４６    端面
５１    フック
５２    鉤部
５８    係合部
６８，７８    突状部
【図１】
2013001562.tif 000003
【図２】
2013001562.tif 000004
【図３】
2013001562.tif 000005
【図４】
2013001562.tif 000006
【図５】
2013001562.tif 000007
【図６】
2013001562.tif 000008
【図７】
2013001562.tif 000009
【図８】
2013001562.tif 000010
【図９】
2013001562.tif 000011
【図１０】
2013001562.tif 000012
【図１１】
2013001562.tif 000013
【図１２】
2013001562.tif 000014
【図１３】
2013001562.tif 000015
【図１４】
2013001562.tif 000016
【図１５】
2013001562.tif 000017